(57)【要約】  本発明は、エレクトロニクス用部材に用いられる回路基板に関する。具体的には、伸縮性基材、伸縮性配線及び前記伸縮性基材と接しているランド部を有することを特徴とする伸縮性回路基板に関する。
2019045108.tif 000002
【特許請求の範囲】
【請求項１】
伸縮性基材、伸縮性配線及び前記伸縮性基材と接しているランド部を有する伸縮性回路基板。
【請求項２】
前記ランド部は、パターニングされた金属箔、または、金属粒子を含む導電性インクの印刷物で構成されている、請求項１に記載の伸縮性回路基板。
【請求項３】
前記ランド部は、その周縁に前記伸縮性配線が接続された接続部を有し、前記接続部の幅は、前記伸縮性配線の幅よりも狭い、請求項１または２に記載の伸縮性回路基板。
【請求項４】
前記伸縮性基材が、熱硬化性樹脂組成物で構成される、請求項１〜３のいずれかに記載の伸縮性回路基板。
【請求項５】
前記伸縮性基材が、軟化点または融点が１４０℃以上である熱可塑性樹脂組成物で構成される、請求項１〜３のいずれかに記載の伸縮性回路基板。
【請求項６】
前記伸縮性配線はバインダー樹脂及び導電性粒子を有する、請求項１〜５のいずれかに記載の伸縮性回路基板。
【請求項７】
前記伸縮性基材に積層される第二絶縁層をさらに有する、請求項１〜６のいずれかに記載の伸縮性回路基板。
【請求項８】
前記伸縮性配線と異なる層位置に、第二導電層をさらに有する、請求項１〜７のいずれかに記載の伸縮性回路基板。
【請求項９】
前記第二導電層が、前記伸縮性配線と層間接続されている、請求項８に記載の伸縮性回路基板。
【請求項１０】
電子部品が実装されている、請求項１〜９のいずれかに記載の伸縮性回路基板。
【請求項１１】
保護層を有する、請求項７〜１０のいずれかに記載の伸縮性回路基板。
【請求項１２】
補強層を有する、請求項１０又は１１に記載の伸縮性回路基板。
【請求項１３】
前記補強層が、樹脂組成物である請求項１２に記載の伸縮性回路基板。
【請求項１４】
前記補強層が、樹脂シートである請求項１２に記載の伸縮性回路基板。
【請求項１５】
請求項１０〜１４のいずれかに記載の伸縮性回路基板を用いたパッチデバイスであって、前記電子部品が、外部システムと通信する機能と、センサ機能とを少なくとも有する、パッチデバイス。
【請求項１６】
請求項１５に記載のパッチデバイスであって、外部システムからの指示によって駆動するシステムを有する、パッチデバイス。
【発明の詳細な説明】
【技術分野】
【０００１】
本発明は、伸縮性回路基板、及び、それを用いたパッチデバイスに関する。
【背景技術】
【０００２】
エレクトロニクス分野、特にセンサ、ディスプレイ、ロボット用人工皮膚などの様々な用途において、装着性や形状追従性の要求が高まっており、曲面や凹凸面などに配置したり自由に変形させたりすることが可能な柔軟ないわゆるパッチデバイスが要求されている。このような要求に対して、伸縮性を有する電子デバイスに関する研究がなされており、次世代を担うストレッチャブルエレクトロニクス技術として非常に期待されている。【０００３】
しかし、電子デバイスを自由自在に変形させるためには、電子回路基板に伸縮性が必要なだけでなく、実装される電子部品にかかる変形応力に対しても耐性が必要である。そこで、これまでにも電子回路にかかる応力集中を緩和し伸縮時の配線部の断線を防止する手段が検討されている。【０００４】
例えば、特許文献１においては、伸縮性を有する材料からなる基材と、前記基材よりもヤング率の大きい材料からなるアイランドとを具備し、前記アイランドが、前記基材の一方の主面に露出した状態で、前記基材に埋め込まれていることを特徴とする伸縮性基板であって、この伸縮性基板上に、素子及び／又は配線が形成された電子部品が報告されている。【０００５】
また、特許文献２には、伸縮性を有するシート状の伸縮性基材と、前記伸縮性基材の主面の少なくとも一方側に形成された伸縮性の配線部と、前記配線部と接続された外部端子と、を備える伸縮性配線基板であって、補強領域と伸縮領域とを所定の構成で有することによって、部分的な応力集中を緩和し、配線部の断線を防止できる伸縮性配線基板が報告されている。【０００６】
一方で、電子部品と基材との接続には、ハンダによる接合が非常に有効であることは公知である。しかしハンダを用いるためには実装に必要な高い温度域に耐えうる耐熱性が必要となる。【０００７】
さらに、基材に接続された電子部品が脱落する等の不具合を防止するために、ハンダを介した電子部品と基材との密着性も重要である。【０００８】
そのため、上記のような伸縮性回路基板には、電子部品への応力集中を緩和するために様々な樹脂材料を用いられている。しかしながら、樹脂材料の検討だけでは、例えば、密着性、耐熱性や耐薬品性等の耐久性を、上記応力集中の緩和と共に向上させることが困難な場合がある。よって、従来の伸縮性配線基板では、ハンダ接続に必要な耐熱性などを十分に有していない材料を使用しなければならない場合もある。【０００９】
さらに材料の制限によって、回路基板全体としての設計が非常に複雑となるため、結果として生産のコスト増大につながる懸念がある。
【先行技術文献】
【特許文献】
【００１０】
【特許文献１】特開２０１７−３４０３８公報
【特許文献２】特開２０１４−１６２１２４公報
【発明の概要】
【００１１】
本発明は、上記の課題に鑑みてなされたものであり、既存の設備を用いて生産できる電子部品を、既存のハンダで実装することができ、密着性、耐熱性等に優れた伸縮性回路基板を提供することを目的とする。
【００１２】
すなわち、本発明の一局面に関する伸縮性回路基板は、伸縮性基材、伸縮性配線、及び、前記伸縮性基材と接しているランド部を有することを特徴とする。
【図面の簡単な説明】
【００１３】
【図１】図１は、本発明の一実施形態に係る、伸縮性回路基板の示す概略断面図である。
【図２】図２は、本発明の伸縮性回路基板における伸縮性配線とランド部の接続部のいくつか形態を示す概略断面図である。
【図３】図３は、本発明の一実施形態に係る、電子部品を実装した伸縮性回路基板の概略断面図である。
【図４】図４は、本発明の伸縮性回路基板のランド部における接続部のいくつかの実施形態を示す、概略上面図である。
【図５】図５は、本発明の他の実施形態に係る伸縮性回路基板を示す、概略断面図である。
【図６】図６は、本発明のさらなる実施形態に係る伸縮性回路基板を示す、概略断面図である。
【図７】図７は、本発明のさらなる別の実施形態に係る伸縮性回路基板を示す、概略断面図である。
【発明を実施するための形態】
【００１４】
これまで、伸縮性回路基板における実装方法において、プロセス性の汎用性を高める手段としてハンダ実装をしたという報告例はほとんどない。これは、伸縮性回路基板において、伸縮性基材で発生する伸縮時の応力集中を、回路に用いる材料の組み合わせで緩和しようと試みているためであると考えられる。そのため、回路基板への部品実装にはハンダ実装以外の、例えば、導電性粘着剤や接着剤を用いた手段などの様々な実装方法が提案されている。
【００１５】
そこで、本発明者等は、鋭意検討した結果、電子部品をハンダを介して接続するためのランド、伸縮性基材、伸縮性配線を用いることで伸縮性及び生産性に優れ、かつ電子部品を既存のハンダで実装することが可能な伸縮性基板が提供できることを見出した。ハンダ実装ができれば、接続信頼性に優れた実装性を備え、リペア性、セルフアライメント性に優れるために高い生産性と優れた接続信頼性が得られること、並びに、既存の設備利用が可能であるがゆえに投資コストの極小化ができると考え、かかる知見に基づいて更に検討を重ねることによって本発明を完成した。
【００１６】
つまり、本発明の一局面に関する伸縮性回路基板は、伸縮性基材、伸縮性配線及び前記伸縮性基材と接しているランド部を有することを特徴とする。
【００１７】
このような構成によれば、電子部品等をハンダを介して接続するための前記ランド部を設けられた伸縮性回路基板であり、伸縮性基材とランド部との密着性を利用することによって優れた実装性と、優れた伸張性とを両立された、柔軟かつしなやかな伸縮性回路基板を提供することができると考えられる。また、該回路基板を用いることによって、任意の曲面への追従や大きな変形に対応可能な電子デバイス（パッチデバイス）等を提供することができる。
【００１８】
また、高い伸縮性と実装性や密着性を両立するという特徴を有することから、光学分野、電子分野、接着分野、医療分野など様々な技術分野にも既存の設備適用できるため、産業利用上非常に有利である。
【００１９】
以下、本発明に係る実施形態について図面などを用いて具体的に説明するが、本発明は、これらに限定されるものではない。
【００２０】
本実施形態に係る伸縮性回路基板（以下、本明細書中において単に「回路基板」とも言う）は、主にエレクトロニクス用部材に用いられる伸縮性回路基板であり、図１に示すように、伸縮性基材１、伸縮性配線３、及び、前記伸縮性基材１と接しているランド部２を有することを特徴とする。
【００２１】
本実施形態に係る回路基板は、伸縮性に優れ、かつ実装性・密着性に優れる回路基板である。このように伸縮性基材上に、少なくとも一部において基材と直接接しているランド部と伸縮性配線とを形成することで、伸縮性と実装性・密着性に優れるという特性を有し、柔軟かつしなやかなで耐久性のある回路基板を提供することができると考えられる。
【００２２】
本実施形態において、実装性に優れるとは、既存のハンダ等で、リフロー炉やハンダゴテを用いて電子部品と回路基板の接合が可能であることをさす。
【００２３】
本実施形態における伸縮性基材および伸縮性配線は伸縮性を有するが、ここで「伸縮性を有する」とは弾性変形可能であることをさし、より具体的には、１０％程度以上の伸張性を有し且つ２５℃室温に置ける引っ張り弾性率が０．５ＭＰａ〜０．５ＧＰａであることをさす。
【００２４】
本実施形態の回路基板は、１０％以上、好ましくは２５％以上、より好ましくは５０％、さらに好ましくは１００％以上の伸張性を有し、２５℃室温における引張弾性率が０．５ＭＰａ〜０．５ＧＰａ、好ましくは１ＭＰａ〜３００ＭＰａ、より好ましくは２ＭＰａ〜２００ＭＰａ、さらに好ましくは５ＭＰａ〜１００ＭＰａである構造体である。上記範囲の伸長性及び室温における引張弾性率を有する回路基板であれば、任意の形へ変形時の追従性が高いために衣服などに優れた追従性を有し、かつ破壊されにくく、伸縮性に優れた回路基板を得ることが出来ると考えられる。
【００２５】
一方、回路基板の伸縮性について、特に上限を設ける必要はないが、必要以上に伸張した場合、熱可塑樹脂においては塑性変形が発生し、もとの形状を損なうという観点から、５００％を超えないことが好ましい。
【００２６】
本実施形態で使用し得る伸縮性基材（以下、本明細書中において単に「基材」とも言う）としては伸縮性の樹脂基材が挙げられ、１０％以上、好ましくは２５％以上、より好ましくは５０％、さらに好ましくは１００％以上の伸張性を有し、２５℃室温における引張弾性率が０．５ＭＰａ〜０．５ＧＰａ、好ましくは１ＭＰａ〜３００ＭＰａ、より好ましくは２ＭＰａ〜１００ＭＰａ、さらに好ましくは２ＭＰａ〜３０ＭＰａである。一方、基材の伸縮性について、特に上限を設ける必要はないが、必要以上に伸張した場合、もとの形状を損なうという観点から、５００％を超えないことが好ましい。
【００２７】
本実施形態の伸縮性基材は、硬化性樹脂組成物または熱可塑性樹脂組成物で構成される。上記硬化性樹脂組成物は、その熱分解温度（Ｔｄ５）が１４０℃以上であることが好ましい。上記硬化性樹脂組成物としては、熱硬化性樹脂組成物が好ましく、既存のハンダ等で、リフロー炉やハンダゴテを用いて電子部品と回路基板とを接合する場合の温度にも十分な耐熱性を有するものであれば良い。また上記熱可塑性樹脂としては、その軟化点または融点が１４０℃以上、好ましくは１６０℃以上、より好ましくは１８０℃以上であることが望ましい。それにより、ハンダ実装における加熱温度に対して、確実に耐えることができると考えられる。
【００２８】
本実施形態の伸縮性基材に使用し得る、上記硬化性樹脂組成物をとしては、例えばシリコン樹脂、ウレタン樹脂、エポキシ樹脂、アクリル樹脂、フッ素ゴムが挙げられ、また、熱可塑性樹脂としては、例えばウレタン樹脂、各種ゴム、アクリル樹脂、オレフィン系樹脂、エチレンプロピレンジエンゴム、イソプレンゴム、ブタジエンゴム、クロロプレンゴムが挙げられる。本実施形態で使用し得る伸縮性基材に用いる場合には、ハンダ実装温度に対する耐熱性の観点から特に、硬化性樹脂組成物を用いることが好ましく、エポキシ樹脂、ウレタン樹脂、シリコン樹脂を用いることが好ましく、エポキシ樹脂を用いることがさらに好ましい。
【００２９】
本実施形態で使用し得る伸縮性基材に用いることのできる樹脂組成物としては、例えば、（Ａ）ポリロタキサン、（Ｂ）熱硬化性樹脂及び（Ｃ）硬化剤を含む樹脂組成物（例えば、国際公開ＷＯ２０１５／０５２８５３号パンフレット等に記載の樹脂組成物）が挙げられる。
【００３０】
基材との接着や耐熱性に優れる点、充填材を組み合わせることにより例えば、低熱膨張、弾性率制御、熱導電性、光反射性、など機能を付与できるという観点から、熱硬化性樹脂を使用することが好ましく、より具体的には、アルキレンオキサイド変性または炭素数が２〜５０００の２価の有機基を含むことを特徴とするエポキシ樹脂、ポリロタキサン樹脂、イソシアネート樹脂、ポリオール樹脂、水添スチレン系エラストマー樹脂、アクリル酸エステル共重合樹脂などの樹脂があげられる。これらは単独で用いても良いし、２種類以上組み合わせても良い。さらに、前記樹脂基材には、本発明の効果を阻害しない範囲で各種添加剤を含まれていてもよい。
【００３１】
本実施形態のランド部には、ハンダを介して電子部品が実装されるため、ランド部の回路基板上における密着性（安定性）が重要となる。この点において、ランド部は配線よりも基材との密着性が高いため、基材とランド部が接する部分を有することにより、密着性（安定性）が良好となる。すなわち、本発明の実施形態においては、電子部品が実装されている、上述の伸縮性回路基板も包含される。
【００３２】
本実施形態のランド部は、少なくともその一部が前記伸縮性基材に接している限り、特に限定はされないが、通常は、ハンダに対する濡れ性が良好で、且つ良好な導体である素材で構成されており、特に銅箔等の金属箔で構成されていることが好ましい。ハンダと基材は直接接合しないが、このランド部を介することにより、ハンダを基材の上に設けることができる。
【００３３】
本実施形態の回路基板におけるランド部の形状やランド部の占有率などは、上記を満たす回路基板であれば特に限定はない。電子部品を実装する目的であれば、ランド部の面積は電子部品の電極となる部分の面積に対して１０％〜１０００％の比率が好ましく、接続安定性と伸縮性配線への接続目的も加味すれば５０％〜５００％の比率がより好ましい。ランド部の形状は、例えば、図１に示すような形状であっても、図２（Ｂ）に示すような形状であってもよい。
【００３４】
本実施形態のランド部は、例えば、パターニングされた金属箔、または印刷された金属粒子を含む導電性インクで構成されていてもよい。より具体的には、ランド部を形成するために、例えば、樹脂付き銅箔を用いてフォトリソグラフィー法にて形成してもよい。樹脂付き銅箔の作成方法は特に限定されないが、銅箔に伸縮性基材となる樹脂層をワニス塗布などにより形成するまたは、伸縮性基材と銅箔を加熱圧着などにより加熱成形により貼り合わせるまたは、伸縮性基材となる基材面と、前記銅箔との間に接着層を設けて貼り合わせによって行っても良い。このような接着層の厚み、材料は特に限定されないが例えば、硬化性樹脂や、粘着性の高い樹脂を用いることが出来る。好ましくは、上記接着層の厚みは０．１μｍ〜１００μｍ、さらに好ましくは０．５μｍ〜５０μｍ、であり、材料として好ましくはアクリル樹脂、シリコン樹脂、フッ素樹脂、エポキシ樹脂、ポリイミド樹脂などの硬化性樹脂を用いることが好ましい。ランド部を形成するその他の方法としては、銀や銅等の金属粒子を含む導電性インク（ナノインク）を印刷し、光や熱による焼結で金属層を形成する方法、ハンダ実装可能な導電性インクまたはペーストを印刷する方法、金属等を蒸着により金属層を形成する方法、電解や無電解メッキにより金属層を形成する方法などがあげられる。
【００３５】
次に、本実施形態の伸縮性配線（以下、本明細書中において単に「配線」とも言う）に使用できる配線材料の種類としては、伸縮性基材のしなやかさが損なわれない範囲で特に限定はされないが、５％以上、好ましくは１０％以上、より好ましくは２５％以上、さらに好ましくは５０％、最も好ましくは１００％以上の伸張性を有し、２５℃室温における引張弾性率が０．５ＭＰａ〜０．５ＧＰａ、好ましくは１ＭＰａ〜３００ＭＰａ、より好ましくは１ＭＰａ〜１００ＭＰａ、さらに好ましくは１ＭＰａ〜１０ＭＰａである。一方、配線の伸縮性について、特に上限を設ける必要はないが、必要以上に伸張した場合、もとの形状を損なうという観点から、５００％を超えないことが好ましい。
【００３６】
本実施形態の伸縮性配線は、硬化性樹脂組成物または熱可塑性樹脂組成物で構成される。上記硬化性樹脂組成物、好ましくは熱硬化性樹脂組成物としては、既存のハンダ等で、リフロー炉やハンダゴテを用いて電子部品と回路基板とを接合する場合の温度にも十分な耐熱性を有するものであれば良い。また上記熱可塑性樹脂としては、その軟化点または融点が１４０℃以上、好ましくは１６０℃以上、より好ましくは１８０℃以上であることが望ましい。それにより、ハンダ実装における加熱温度に対して、確実に耐えることができると考えられる。
【００３７】
本実施形態の伸縮性配線に使用し得る、前述の硬化性樹脂組成物をまたは熱可塑性樹脂組成物をからなり、前記硬化性樹脂組成物の場合には熱分解温度（Ｔｄ５）が１４０℃以上であり、前記熱可塑性樹脂組成物の場合には軟化点、融点は、いずれも１４０℃以上、好ましくは１６０℃以上、より好ましくは１８０℃以上であるあることが望ましい。それにより、ハンダ実装における加熱温度に対して、確実に耐えることができると考えられる。
【００３８】
本実施形態の伸縮性基材に使用し得る、上記硬化性樹脂組成物としては、例えばシリコン樹脂、ウレタン樹脂、エポキシ樹脂、アクリル樹脂、フッ素ゴムが挙げられ、また、熱可塑性樹脂組成物としては、例えばウレタン樹脂、各種ゴム、アクリル樹脂、オレフィン系樹脂、エチレンプロピレンジエンゴム、イソプレンゴム、ブタジエンゴム、クロロプレンゴムが挙げられる。本実施形態で使用し得る伸縮性基材に用いる場合には、ハンダ実装温度に対する耐熱性の観点から特に、熱硬化性樹脂組成物を用いることが好ましく、エポキシ樹脂、ウレタン樹脂、シリコン樹脂がより好ましく、エポキシ樹脂を用いることがさらに好ましい。
【００３９】
本実施形態の伸縮性配線に使用できる配線材料の材料としては、例えば、バインダー樹脂と導電性粒子を有する導電性樹脂組成物等が挙げられる。それにより、良好な導電性と伸縮性を両立された伸縮性配線が得られるという利点がある。
【００４０】
本実施形態で使用し得る伸縮性配線に用いることのできる導電性樹脂組成物の具体例としては、例えば、分子構造が、（メタ）アクリル酸エステル、スチレン、及びアクリロニトリルから選択される少なくとも１つを構成要素として含む樹脂（Ａ）、硬化剤（Ｂ）及びが扁平形状であり、且つ、厚みと面内長手方向のアスペクト比が１０以上である導電性フィラー（Ｃ）を含む導電性樹脂組成物（例えば、特開２０１８−３５２８６等に記載の導電性樹脂組成物）が挙げられる。
【００４１】
上記導電性粒子のより具体的な例としては、銀、銀被覆銅（銅の表面の一部を銀が被覆する構成を含む）、銅、金、カーボン粒子、カーボンナノチューブ、導電性高分子、錫、ビスマス、インジウム、ガリウム等やこれら金属の合金で構成される粒子が挙げられる。好ましくは、伸縮性のエポキシ樹脂、アクリル樹脂、ウレタン樹脂、シリコン樹脂、フッ素樹脂、スチレンブタジエン共重合樹脂と、銀粉、銀フレーク、などを組み合わせた銀ペーストや銀インク等が挙げられる。
【００４２】
本実施形態の伸縮性配線の形成方法も特に限定はされないが、例えば、印刷法などによって形成することができる。具体的には、上述したようなバインダー樹脂と導電性粒子を含む導電性ペーストや液状の金属を、スクリーン印刷、インクジェット印刷、グラビア印刷、オフセット印刷などの印刷法によって、前記基材上に印刷塗布して所望のパターンを有する配線を形成することができる。
【００４３】
本実施形態の回路基板において、ランド部、伸縮性基材、伸縮性配線の各層の厚みは特に限定されないが、伸縮性と強度のバランスを保つため例えば、ランド部の厚みは１〜５０μｍ、伸縮性配線の厚みは１μｍ〜５０μｍ、伸縮性基材の厚みは１０μｍ〜５００μｍ程度とすることが好ましい。
【００４４】
また、ランド部、伸縮性基材、伸縮性配線のそれぞれの幅の特に限定されず、伸縮性と強度のバランスを保つため例えば、ランド部の幅は１０〜１０００μｍ、伸縮性配線の幅は２０〜２０００μｍ、伸縮性基材の幅は０．５〜２ｃｍ程度とすることが好ましい。
【００４５】
本実施形態の回路基板は、図１に示す通り、ランド部２が伸縮性基材１と接している部分４を有しているが、このようにランド部２の少なくとも一部が伸縮性基材１と接している限り、その形態は特に限定されない。例えば、図２（Ａ）に示すように、ランド部１の裏面全体が伸縮性基材１の表面と接していてもよいし、図２（Ｃ）に示すようにランド部２が伸縮性基材１に埋められていてもよい。上記伸縮性基材と上記ランド部とが接している部分４を有することによって、上記伸張率を有する伸縮性基材を用いた伸縮性回路基板においても、上記伸縮性基材と上記ランド部とが優れた密着性を示し、本実施形態の伸縮性基材の伸長及び復元に対して、伸縮性基材上に実装された電子部品等の回路基板が高い追従性を示すことが可能となる。本実施形態の回路基板に複数あるランド部において、上記伸縮性基材と上記ランド部とが接している部分４を有するランド部と、前記部分４を有さないランド部が混在する伸縮性回路基板であっても良い。前記部分４を有さないランド部とは、例えば、伸縮性配線上に位置しており、伸縮性基材とは接していないランド部である。
【００４６】
また、図１に示すように、ランド部２はその周縁に伸縮性配線３が接続された接続部５を有することが好ましい。これにより、ランド部の伸縮性基材上の安定性がより向上すると考えられる。本実施形態でいう接続部とは、ランド部２と伸縮性配線３とを電気的に接続する部分であり、様々な態様をとることができる。本明細書では便宜上「接続部」と称しているが、独立した構成要素でなくてもよく、上述のようにランド部２の一部であってもよいし、伸縮性配線３の一部であってもよい。接続部５の形態は特に限定はなく、図２（Ａ）のようにランド部２の側面が伸縮性配線３の側面と接続していてもよいし、図２（Ｂ）に示すようにランド部２の上面が伸縮性配線３の下面と接続していてもよいし、図２（Ｃ）に示すように、ランド部２の上に伸縮性配線３が設けられることによって接続部５を形成していてもよい。
【００４７】
好ましくは、ランド部２の上面及び／又は側面において、伸縮性配線３との接続部５を有していることが好ましい。それにより、ランド部２の伸縮性基材１上の安定性がさらに向上すると考えられる。
【００４８】
さらには、図５に示すように、ランド部２が２つ以上の伸縮性配線３との接続部５を有し、かつ、ランド部２の一部が伸縮性配線３の上に接続されていてもよい。
【００４９】
このような接続部５の形成方法は特に限定はなく、例えば、リソグラフィーやディスペンサー印刷、スクリーン印刷、インクジェット印刷、グラビア印刷、シンタリングといった方法によるランドの形成及び伸縮配線の印刷をすることによって形成できる。
【００５０】
また、図４（Ａ）を用いて、接続部５を詳細に説明する。本実施形態における接続部５は、ランド部２と伸縮性配線３の重なっている部分のことを意味する。このような接続部５があることによって、伸縮時あるいは基材の変形時においても安定的な電気的接続が可能となる。
【００５１】
このランド部の端部（周縁）は、前記伸縮性配線とより大きな表面積をもって接触することが好ましく、例えば、接続部におけるランド部の幅は前記伸縮性配線３の幅よりも狭くなっていることが好ましい。それにより、前記接続部におけるランド部の端部と前記伸縮性配線との接触面積を大きくすることが出来、電気的接続の信頼性を向上させることが出来るという利点がある。図４（Ｂ）に示すように、接続部５におけるランド部２の幅が配線３の幅より狭くなっていれば、ランド部２の幅が配線３の幅よりも大きくなっていても、上記効果を得ることが可能である。
【００５２】
また、本実施形態の回路基板においては、前記伸縮性基材に積層される第二絶縁層をさらに有していてもよい。前記伸縮性基材を第一絶縁層とした場合、第二絶縁層は第一絶縁層と同じ構成あってもよいし、異なる構成であってもよい。さらに、本実施形態の回路基板においては、前記伸縮性配線と異なる層位置に、第二導電層をさらに有していてもよい。前記伸縮性配線を第一導電層とした場合、第二導電層は第一導電層と同じ構成あってもよいし、異なる構成であってもよい。すなわち、本実施形態の回路基板は、基板の表裏両面に配線が設けられていてもよく、あるいは、複数層の回路が積層された回路基板であってもよい。それにより、回路設計における制約条件を大幅に緩和出来、また回路部材の小型化が可能になるという利点がある。また、前記第二導電層が、前記伸縮性配線と層間接続されていてもよい。導電層間の接続手段（導通手段）は特に限定はなく、公知の手段、例えば、メッキ、導電性ペースト等を用いて接続することが可能である。
【００５３】
本実施形態における、電子部品が実装された回路基板は、例えば、図３（Ａ）に示すように、パッド部８が設けられている電子部品９を、伸縮性基板１の上に設けられた伸縮性配線３と接続しているランド部２の上に設けられたハンダ部７の上に実装することで得られる。ここで、ハンダ部の実装方法は、公知の手段を用いることができ、例えば、メタルマスクやフレキソによるハンダ印刷、リフロー炉等による加熱や超音波等による局所的に加熱することによって形成できる。
【００５４】
あるいは、図３（Ａ）の形態に限定されず、図３（Ｂ）に示すような形態で、ランド部２、ハンダ部７、パッド部８を設け、その上に電子部品９を実装することもできる。
【００５５】
本実施形態で使用できる電子部品としては特に限定はなく、例えば、トランジスタ、信号発信素子、発光素子、太陽発電素子、ダイオード、スイッチング素子、コンデンサー、コイル、液晶、ブルートゥース(登録商標)などの無線モジュール、加速度センサや湿度センサ、温度センサといった各種センサ、ＲＦＩＤ等に使われるチップ部品などが挙げられる。
【００５６】
本実施形態の回路基板において、さらに外部からの接触や摺動による保護、絶縁や防水といった目的で、回路の一部または全体を樹脂などの被覆体により保護することが回路基板の信頼性向上の観点で好ましい。
【００５７】
具体的には、回路基板は保護層を有する。当該保護層は、例えば、図６に示すように、電子部品９や配線３等を保護するための樹脂組成物を最表面に設けられる保護層１０であってもよい。
【００５８】
このような保護層を有することにより、回路表面の水分や摩擦からの保護、回路基材の補強が可能となるという利点がある。
【００５９】
さらに、本実施形態の回路基板は、補強層を有していてもよい。具体的には、図６に示すようにシート状の樹脂を用いて、基材１の裏面に補強層１１を設けてもよい。つまり、補強層１１は樹脂シートであってもよい。あるいは、図７に示すように、ポッティング用に使用される樹脂組成物等を用いて補強層１１を設け、電子部品９と配線３との接合部を補強することもできる。つまり、補強層１１は樹脂組成物で構成されていてもよい。このような補強層を有することにより、部品脱落等をより確実に防ぐことができる。
【００６０】
このような前記保護層に使われる樹脂組成物は、１０％以上、好ましくは２５％以上、より好ましくは５０％、さらに好ましくは１００％以上の伸張性を有し、２５℃室温における引張弾性率が０．５ＭＰａ〜０．５ＧＰａ、好ましくは１ＭＰａ〜３００ＭＰａ、より好ましくは１０ＭＰａ〜１００ＭＰａ、さらに好ましくは１０ＭＰａ〜５０ＭＰａである。本実施形態の保護層に使用し得る樹脂組成物としては、回路表面の水分や摩擦からの保護、回路基材の補強を可能とする目的の観点から硬化性樹脂組成物、好ましくは熱硬化性樹脂組成物または熱可塑性樹脂を用いることができ、例えばシリコン樹脂、ウレタン樹脂、エポキシ樹脂、アクリル樹脂、フッ素ゴムが挙げられ、また、熱可塑性樹脂としては、例えばウレタン樹脂、各種ゴム、アクリル樹脂、オレフィン系樹脂、エチレンプロピレンジエンゴム、イソプレンゴム、ブタジエンゴム、クロロプレンゴムが挙げられる。本実施形態で使用し得る保護層に用いる場合には、特に、オレフィン樹脂、アクリル樹脂、エポキシ樹脂を用いることが好ましい。
【００６１】
また、前記補強層に使われる樹脂組成物は、１０％以上、好ましくは２５％以上、より好ましくは５０％、さらに好ましくは１００％以上の伸張性を有し、２５℃室温における引張弾性率が１０ＭＰａ〜８ＧＰａ、好ましくは１００ＭＰａ〜６ＧＰａ、より好ましくは５００ＭＰａ〜６ＧＰａ、さらに好ましくは５００ＭＰａ〜２ＧＰａである。さらに、本実施形態の補強層に使用し得る樹脂組成物としては、電子部品９と配線３との接合部の補強や、部品脱落等をより確実に防ぐ目的の観点から硬化性樹脂組成物、好ましくは熱硬化性樹脂組成物または熱可塑性樹脂を用いることができ、上記硬化性樹脂組成物としては、例えばシリコン樹脂、ウレタン樹脂、エポキシ樹脂、アクリル樹脂、フッ素ゴムが挙げられ、また、熱可塑性樹脂としては、例えばウレタン樹脂、各種ゴム、アクリル樹脂、オレフィン系樹脂、エチレンプロピレンジエンゴム、イソプレンゴム、ブタジエンゴム、クロロプレンゴム、ポリエチレンテレフタレート、ポリイミド、ポリフェニレンスルフィド樹脂、ポリアミド樹脂、ポリスチレン樹脂が挙げられる。本実施形態で使用し得る補強層に用いる場合には、補強の観点から特に、ポリエチレンテレフタレート、ポリイミド、ポリフェニレンスルフィド樹脂、ポリアミド樹脂、ポリスチレン樹脂、エポキシ樹脂用いることが好ましい。
【００６２】
保護層や補強層を形成する手段としては、スプレー塗布による方法や、シート状に加工した保護層または補強層をラミネーターにて貼り合わせる方法や、液状樹脂をダイコートやインクジェットやディスペンサー、静電噴霧、蒸着等によって塗布する手段があげられる。これらの手法は従来の手法でも良いし、改良された手法を用いてもよい。
【００６３】
保護層１０や補強層１１などは、実装した電子部品またはその周辺や、回路全体に設けることで、部品接合部や回路そのものを保護したり、補強したりすることができる。また、図６のように回路表層を保護層１０で覆うことで、外界からの耐摩耗性や防水性なども向上し、部品脱落等を防ぐことも可能とする。すなわち、本発明の伸縮性回路基板において、前記絶縁層のうち少なくとも１つが最表面にある保護層であることが好ましい。
【００６４】
（製造方法）
本実施形態の伸縮性回路基板を製造する方法は特に限定はされないが、例えば、以下のような方法で製造することができる。
【００６５】
まず、伸縮性の樹脂付き銅箔をリソグラフィーでパターニングし銅箔のランドを伸縮性基材上に形成する。そしてパターニグされたランド付き伸縮性基材上にスクリーン印刷で伸縮性の銀配線を形成することによって、伸縮性基材の上に、ランド部と伸縮性配線を形成することができる。
【００６６】
より具体的には、例えば、以下の製法によって製造することができる。
【００６７】
・製造例１
＜伸縮性配線部とランドの形成＞
銅箔（ＪＴＣ−ＬＰ  １８μｍ、三井金属製）のマット面へ銀ペースト（ＰＥ８０３、デュポン社製）をスクリーンで印刷し、１００℃で３０分加熱乾燥させ、銅箔上に回路を形成した。さらに、樹脂（ＳＩＬＰＯＴ１８４、東レダウコーニング社製）を銀ペーストの印刷面にバーコーターで塗布し、１００℃で３０分媒硬化させ、銅箔上に配線及び伸縮性基材を形成したフィルムを得た。
【００６８】
その後、樹脂を塗布した面の反対の面にドライフィルムレジストをラミネートし、フォトリソグラフィーにて現像、銅箔エッチングにより銅箔ランドが形成された回路基板を得た。
【００６９】
＜部品実装＞
得られた回路基板の銅箔ランド部にクリームハンダをメタルマスクで印刷し、電子部品（チップ抵抗：１６０８、５０２５サイズ）を実装した。実装は１８０℃に設定したホットプレート上にて行った。
【００７０】
（製造例２）
＜伸縮性基材上へランドを形成＞
まず、伸縮性基材用の樹脂を以下のようにして作成した。ポリロタキサン：（アドバンス・ソフトマテリアルズ社製「Ａ１０００」）１００質量部、エポキシ樹脂（三菱化学製「ＪＥＲ１００３」）７５質量部、イミダゾール系硬化促進剤（四国化成製「２Ｅ４ＭＺ」、２エチル４メチルイミダゾール）１．１質量部、及び、架橋剤：（イソシアネート、ＤＩＣ製「ＤＮ９５０」）４５質量部を、固形分濃度が４０質量％となるように、溶剤（メチルエチルケトン）に添加して、各成分を均一に混合し（３００ｒｐｍ、３０分間）、樹脂組成物を調製した。
【００７１】
次に、銅箔（３ＥＣＶＬＰ  １８μｍ、三井金属製）のマット面へ前記樹脂組成物をバーコーターにて塗布。１００℃で１０分溶媒を乾燥させ、その後１７０℃で１時間かけて樹脂を硬化させ樹脂付き銅箔を得た。樹脂層の厚みは５０μｍであった。銅箔面にドライフィルムレジストをラミネートし、フォトリソグラフィーにて銅箔ランドが形成された樹脂フィルムを得た。
【００７２】
＜回路の形成＞
伸縮性配線（銀ペースト）を、以下のようにして調製した。樹脂としてエポキシ変性アクリル酸エステル樹脂「ＰＭＳ−１４−２」（ナガセケムテックス製、エポキシ当量：１８５２ｇ／ｅｑ、分子量：１００万、Ｔｇ：−３５℃）１０．０質量部、硬化剤としてアミン系化合物：２官能ポリエーテルアミン「Ｄ２０００」（三菱化学ファイン製）２．７質量部と、イミダゾール系硬化促進剤：２エチル４メチルイミダゾール「２Ｅ４ＭＺ」（四国化成製）０．１質量部、導電性フィラーとして銀粉「Ａｇ−ＸＦ−３０１」（比表面積２．０ｍ２／ｇ、タップ密度０．５６ｇ／ｃｍ３、福田金属箔粉工業社製）５０．０質量部、界面活性剤として、ポリエステル変性シリコン系表面調整剤：「ＢＹＫ−３７０」（ビックケミー・ジャパン製）０．５質量部、分散剤としてブロックコポリマー型湿潤分散剤「ＤＩＳＰＥＲＢＹＫ−２１５５」（ビックケミージャパン製）、０．２質量部、グリシドキシプロピルトリメトキシシラン「ＫＢＭ−４０３」（信越シリコーン製）０．２質量部を溶剤（シクロヘキサノン、２．０質量部）に添加して、自転−公転式ミキサー（ＴＨＩＮＫＹ社「ＡＲＶ−３１０」、２０００ｒｐｍ−３分）で撹拌することによって各成分を均一に混合し、導電性樹脂組成物を調製した。
【００７３】
そして、ランド部分に一部重なるように前記銀ペーストをスクリーンで印刷し、１００℃のオーブンで１０分乾燥させ、その後１５０℃のオーブンにて１時間硬化させ、伸縮性回路基板を得た。
【００７４】
＜部品実装＞
製造例１と同様の方法で部品を実装した。
【００７５】
（製造例３）
＜伸縮性基材上へランドを形成＞
銅箔（３ＥＣＶＬＰ  １８μｍ、三井金属製）のマット面へ樹脂フィルム（＃３４１２、ＢＥＭＩＳ社製）を真空ラミネーター（到達真空度０．１ｈＰａ、設定温度１２０℃、加圧力０．２Ｍｐａ、加圧時間３０分）でラミネートし樹脂付き銅箔を得た。
【００７６】
銅箔面にドライフィルムレジストをラミネートし、フォトリソグラフィー銅箔ランドが形成された樹脂フィルムを得た。
【００７７】
＜回路の形成＞
ランド部分に一部重なるように銀ペースト（ＳＳＰ１４０９、東洋紡社製）をスクリーンで印刷し、１００℃のオーブンで１０分乾燥させ、その後１５０℃のオーブンにて１時間硬化させ、伸縮性回路基板を得た。
【００７８】
＜部品実装＞
製造例１と同様の方法で部品を実装した。
【００７９】
（製造例４）
＜伸縮性基材上へランドを形成＞
片面離型処理されたペットフィルムの離型面に樹脂（製造例２と同様）をバーコーターで塗布し、１００℃で１０分溶媒を乾燥させ、その後１７０℃で１時間かけて樹脂を硬化させ樹脂付きペットフィルムを得た。その後、銀ペースト（ＣＡ−８５９０Ｂ、大研化学社製）でランド形状のスクリーン版で印刷し、１００℃で１０分乾燥後、１５０℃で１時間硬化させランドを形成した。
【００８０】
＜回路の形成＞
ランド部分に一部重なるように銀ペースト（製造例２と同様）をスクリーンで印刷し、１００℃のオーブンで１０分乾燥させ、その後１５０℃のオーブンにて１時間硬化させ、伸縮性回路基板を得た。
【００８１】
＜部品実装＞
製造例１と同様の方法で部品を実装した。
【００８２】
（製造例５）
製造例１と同様の方法で、実装済みの伸縮性回路基板を得た。その後、表面から液状樹脂（１Ｂ５１ＮＳＬＵ、ＣＨＡＳＥ 社製）をスプレーでコーティングし被覆体を形成、さらに基板裏側とポリエステル素材の布をフィルム（ＳＨＭ１０７、シーダム社製）を介して、１７０℃程度に設定したアイロンでラミネートした。
【００８３】
（用途）
本実施形態の伸縮性回路基板は、高い伸縮性と実装性や密着性を両立するという特徴を有することから、光学分野、電子分野、接着分野、医療分野など様々な技術分野にも既存の設備適用できるため、産業利用上非常に有利である。
【００８４】
特に、十分な伸縮性を維持しつつハンダ実装可能な回路基板であるため、例えば、パッチデバイス、折り曲げ可能な電子ペーパー、有機ＥＬディスプレイ、ウェアラブル機器等に用いる回路基板として非常に好適である。
【００８５】
特に医療、スポーツなどバイタルセンシングをするため等の用途に用いるため、洋服などに付着させるパッチデバイスとして有用である。
【００８６】
その場合、本実施形態の回路基板における電子部品は、外部システムと通信する機能と、センサ機能とを少なくとも有していることが好ましい。それにより、デバイス本体を意識することなく外部システムによりデバイスの稼働状況を確認することが出来るといった利点がある。あるいは、外部システムからの指示によって駆動するシステムを有していることも好ましい。それにより、外部システムより遠隔操作にてデバイス動作を命令駆動させることが出来るといった利点がある。さらには、上述の機能を全て有している電子部品を備えたデバイスであってもよい。
【００８７】
この出願は、２０１７年９月４日に出願された米国仮出願６２／５５３９６７を基礎とするものであり、その内容は、本願に含まれるものである。
【００８８】
本発明を表現するために、前述において図面や具体例等を参照しながら実施形態を通して本発明を適切かつ十分に説明したが、当業者であれば前述の実施形態を変更及び／又は改良することは容易になし得ることであると認識すべきである。したがって、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【産業上の利用可能性】
【００８９】
本発明は、電子材料やそれを用いた各種デバイスに関する技術分野において、広範な産業上の利用可能性を有する。
【図１】
2019045108.tif 000003
【図２】
2019045108.tif 000004
【図３】
2019045108.tif 000005
【図４】
2019045108.tif 000006
【図５】
2019045108.tif 000007
【図６】
2019045108.tif 000008
【図７】
2019045108.tif 000009
【国際調査報告】
2019045108.tif 000010
2019045108.tif 000011
2019045108.tif 000012
2019045108.tif 000013